(57)【要約】【課題】省スペースでも使用可能な、ユーザビリティの高い間接照明装置を提供すること。【解決手段】本発明の一実施態様による間接照明装置は、内部に光源を備え、当該光源からの照明光束を外部に通過させる開口部が設けられた筐体、開口部に配置された板状の投影体を備え、投影体は、所定形状の図柄を所定のアルゴリズムに従って圧縮した形状が形成されており、光源からの照明光束と直交するように開口部に配置され、投影体が配置された側の筐体の側面を、投影体の図柄を投影する壁面に密着させて用いる。【選択図】図２
2017162581.tif 000002
【特許請求の範囲】
【請求項１】
内部に光源を備え、当該光源からの照明光束を外部に通過させる開口部が設けられた筐体と、
前記開口部に配置され、所定形状の図柄が所定のアルゴリズムで圧縮された形状に形成された平面状の投影体と、
を備え、
前記投影体は、前記光源の光軸と直交するように前記開口部に配置され、
前記投影体が配置された側の筐体の側面を、前記所定形状の図柄を投影する壁面に接触させて用いられる、間接照明装置。
【請求項２】
前記投影体は、前記光源からの照明光束の少なくとも一部を遮光又は透過することによって、前記光源の光軸と平行な壁面に所定形状の図柄を形成する光束制限部を備え、
前記光束制限部は、前記照明光束による前記壁面への照射エリアに対して、前記所定形状の図柄の光軸方向に沿う最短距離から最長距離までの長さと、光軸方向と直行する最大幅とを考慮した所定のアルゴリズムに従って、前記図柄が圧縮されたことを特徴とする請求項１に記載の間接照明装置。
【請求項３】
開口部を有する筐体の内部に設けられた光源からの照明光束を、直接又は間接的に前記開口部から前記光源の光軸に直行する壁面に向けて照射する際に、前記照明光束の少なくとも一部を遮蔽又は透過させることによって、所望の図柄を前記壁面に投影する間接照明装置に配置される投影体の作成方法であって、
前記投影体は、
前記開口部の開口面積内において少なくとも一部を塞ぐ大きさに形成されるととともに、前記照明光束の前記壁面に対する縦横方向の照明範囲内において予め所望の図柄を投影するように、前記所望の図柄の縦横比を所定のアルゴリズムにしたがって圧縮した図柄から形成される、投影体の作成方法。
【発明の詳細な説明】
【技術分野】
【０００１】
本発明は、間接照明装置に関し、特に、影絵を壁等に投影して空間を装飾する、省スペースな間接照明装置及び投影体に関する。
【背景技術】
【０００２】
影絵を壁に投影して、居住空間やオフィス等を装飾する照明装置が知られている。例えば、特許文献１には、湾曲面に造影用絵柄を設けた造影体に向かって光を照射し、光と陰影とによって影絵投影面に影絵を結像させるものが開示されている。
【先行技術文献】
【特許文献】
【０００３】
【特許文献１】特開２００６−３０２７２７号公報
【発明の概要】
【発明が解決しようとする課題】
【０００４】
しかしながら、特許文献１に記載の照明装置は、照明装置を、影絵投影面からある程度離間させて設置しなければ、所望の影絵を投影面に結像させることができない。従って、影絵を結像させるのに十分なスペースを確保できない狭い居住空間では用いることができず、ユーザビリティに欠けるものであった。
【０００５】
本発明は、上記問題に鑑みてなされたものであり、狭いスペースでも使用可能な、ユーザビリティの高い間接照明装置及び投影体を提供することを目的とする。
【課題を解決するための手段】
【０００６】
上述の問題を解決すべく、本発明の一態様に係る間接照明装置は、内部に光源を備え、当該光源からの照明光束を外部に通過させる開口部が設けられた筐体と、開口部に配置され、所定形状の図柄が所定のアルゴリズムで圧縮された形状で形成された平面状の投影体とを備え、投影体は、光源の光軸と直交するように開口部に配置され、投影体が配置された側の筐体の側面を、所定形状の図柄を投影する壁面に密着させて用いられる。
【０００７】
さらに、本発明の一態様に係る間接照明装置において、投影体は、光源からの照明光束の少なくとも一部を遮光又は透過することによって、光源の光軸と平行な壁面に所定形状の図柄を形成する光束制限部を備え、光束制限部は、照明光束による壁面への照射エリアに対して、所定形状の図柄の光軸方向に沿う最短距離から最長距離までの長さと、光軸方向と直行する最大幅とを考慮した所定のアルゴリズムに従って、前記図柄を圧縮している。
【０００８】
さらに、本発明の一態様に係る、開口部を有する筐体の内部に設けられた光源からの照明光束を、直接又は間接的に前記開口部から前記光源の光軸に直行する壁面に向けて照射する際に、前記照明光束の少なくとも一部を遮蔽又は透過させることによって、所望の図柄を前記壁面に投影する間接照明装置に配置される投影体の作成方法は、投影体を、開口部の開口面積内において少なくとも一部を塞ぐ大きさに形成されるととともに、前記照明光束の前記壁面に対する縦横方向の照明範囲内において予め所望の図柄を投影するように、前記所望の図柄の縦横比を所定のアルゴリズムにしたがって圧縮した図柄から形成される。
【発明の効果】
【０００９】
本発明の一態様によれば、内部に光源を備え、当該光源からの照明光束を外部に通過させる開口部が設けられた筐体と、開口部に配置された平面状の投影体とを備え、投影体は、所定形状の図柄を所定のアルゴリズムに従って圧縮した形状が形成されており、光源からの照明光束と直交するように開口部に配置され、投影体が配置された側の筐体の側面を、投影体の図柄を投影する壁面に密着させて用いられるため、狭いスペースでも使用可能な、ユーザビリティの高い間接照明装置を提供することができる。
【図面の簡単な説明】
【００１０】
【図１】（ａ）〜（ｄ）とも、本発明の一実施態様による間接照明装置の概略図である。
【図２】本発明の一実施態様による投影体の作成方法を説明する図である。
【図３】（ａ）〜（ｃ）とも、本発明の一実施態様による投影体の一例を説明する概略図である。
【図４】（ａ）〜（ｃ）とも、本発明の一実施態様による投影体の一例を説明する概略図である。
【発明を実施するための形態】
【００１１】
以下、諸図面を参照しながら、本発明の一実施態様を詳細に説明する。図１は、本発明の一実施態様に係る間接照明装置の概略図であり、図１（ａ）は上面図、（ｂ）は正面図、（ｃ）は側面図、（ｄ）は側面から内部をみた俯瞰図である。図１に示すように、間接照明装置１０は、投影体１１、開口部を備える筐体１２、光源１５及び固定ピン１４を備える。筐体１２は、例えば木材、ポリカーボネート等などで、厚み１０ｍｍで形成される。筐体１２の内部には、光源１５、光源１５の制御装置１６、図示しないヒートシンク、間接照明装置１０等が収容されている。筐体１２の底面１３（開口部と対向する面）は曲面状に形成され、光源１５からの照射光を反射して開口部に集光させる。光源１５としては、ＬＥＤ素子、ＬＥＤ電球、蛍光灯、白熱灯等を用いることができる。光源１５は、光軸方向が開口部を向くように筐体１２の内部に設置され、開口部から効率良く照明光束が放出されるようにしてある。なお、筐体１２のサイズは、壁面に投影する影絵の大きさに応じて様々なサイズが存在してもよい。また、光源１５等は簡略化して示してあり、これに限られるものではない。
【００１２】
筐体１２の開口部には、投影体１１が配置される。なお、間接照明装置１０は、図１において投影体１１が配置された側の面を壁面に密着させて用いられる。すなわち、間接照明装置１０は、光源１５の光軸が壁面に平行になる向きに、固定ピン１４によって壁面に固定されて用いられる。投影体１１は、所定形状の図柄を所定のアルゴリズムに従って圧縮・変形した形状（これ以降、圧縮形状とも記す）が、照明光束を遮断する材質で形成されたものである。この圧縮形状は、光源１５からの照明光束の少なくとも一部を遮光又は透過することによって、光源１５の光軸と平行な壁面に所定形状の図柄（影絵）を形成する光束制限部に相当する。図１（ｃ）のように、投影体１１は板状に形成され、間接照明装置１０の開口部の、壁面に筐体１２を密着させる側に配置される。投影体１１は、板状に形成するとき、材質として例えばアクリル、木合板等で、厚み２〜５ｍｍ程度で形成される。このとき、投影体１１は、光源１５の光軸と投影体１１の板状の図柄部分とが直交するように開口部に配置される。すなわち、光源１５からの照明光束を最も遮るような位置に配置される。なお、投影体１１としては、透明なシート、フィルムなどに、図柄部分が不透明になるように印刷されたもので実現してもよい。
【００１３】
次に、投影体１１の作成方法と、間接照明装置１０の使用例について説明する。図２は、本発明の一実施態様による投影体の作成方法を説明する図であり、間接照明装置１０の正面図と側面図とを示してある。図３は、投影体１１の一例を示す概略図である。図３（ａ）は、壁面に投影したいイルカの図柄２０を示す図、（ｂ）は、投影体１１に用いられる圧縮形状を示す図、（ｃ）は、投影体１１が装着された間接照明装置１０の配置使用例である。投影体１１の圧縮形状は、図柄２０を示す情報をコンピュータに入力し、所定のアルゴリズムによって変形・縮小することによって得られる。所定のアルゴリズムは、既存のシャドウボリューム法の概念に、照明光束による壁面への照射エリア（開口部と光源１５との位置関係や、開口部の大きさ等によって規定される）に対して、所望の図柄（図２の影絵２３）の光軸方向に沿う最短距離から最長距離までの長さと、光軸方向と直行する最大幅とを考慮したものである。なお、シャドウボリューム法では、物体が光源からの光を遮って生じる影の空間（シャドウボリューム）を算出し、視点からみて表を向いた影の空間から、裏を向いた影の空間を差し引くことによって、視点からみた物体の影の形状を算出するものである。本発明の実施形態では、上述のシャドウボリューム法において、視点を壁面に向かう方向、光源を間接照明装置１０の光源１５、物体を投影体１１、視点からみた物体の影の形状を、壁面に投影されるイルカの図柄２０とし、投影体１１の圧縮形状を算出するものである。従って、コンピュータへの入力情報としては、イルカの図柄２０の画像情報、影を投影させる壁面の座標情報、投影体１１を配置する面（開口部を含む面）の座標情報、光源１５の座標情報が用いられる。
【００１４】
すなわち、図２に示すように、壁面４０に投影したいイルカの影絵２３の大きさ（すなわち、投影幅及び投影高さ）を予め設定すると、図２において、シャドウボリュームは光源と投影幅、投影高さを結んだ空間である。投影体１１は、シャドウボリュームにおける開口部の位置に形成されるとして、所定のアルゴリズムによって、所定の図柄の縦横比が圧縮されて形成される。なお、コンピュータに入力する画像としては、図２のような黒色の画像に限らず、影の部分を「１」、その他の部分を「０」とした二次元のデータでもよい。
【００１５】
例えば、図３（ａ）のイルカの図柄２０の場合、上記のアルゴリズムによって算出された投影体１１の圧縮形状は、図３（ｂ）の圧縮形状２１になる。圧縮形状２１の投影体１１を装着した間接照明装置１０を壁面に配置し、光源１５から投影体１１に光を照射した場合、図３（ｃ）のように、影絵２３が投影される。
【００１６】
図４は、壁面に映し出す図柄の別の例である。図４（ａ）の気球の図柄３０は、光を遮断する黒色部分と、光を透過させる透明部分とから成る。この様に、透明部分を含む図柄の投影体を作成する場合は、透明なフィルムや平板上に、圧縮形状３１を印刷したものとするのが好適である。なお、図４（ｃ）において、平板上の投影体３２を示してあるが、投影体３２が透明なフィルムで形成される場合、フィルムを、間接照明装置１０の開口部を覆うように取り付け、その際、影絵を投影する壁面に密着する側の筐体の側面に、圧縮形状３１が位置するように、投影体１１を間接照明装置１０に配置すればよい。間接照明装置１０の光源１５から光を照射すると、図４（ｃ）のように、壁面に影絵３３が投影される。
【００１７】
上述のように、本発明の一実施態様によれば、影絵を投影する壁面に密着させた状態で所望の影絵を投影可能な、間接照明装置を実現することができる。従って、従来のように間接照明装置１０を壁から離間させる必要がなく、省スペースでユーザビリティの高い間接照明装置を提供することができる。また、壁面に投影したい図柄に制限はなく、所望の図柄の影絵を壁面に投影することができる。また、投影体１１の着脱を可能にすることにより、投影する影絵を自由に選択することができる。
【００１８】
なお、本発明は上述の実施形態に限られるものではない。例えば、筐体１２の形状としては、図のような直方体に近いものである必要はなく、内部に収容された光源からの光束を投影体に効率よく集光できる形状であれば、例えば半球状、円筒状、球状であっても良い。
【００１９】
また、上述では、投影体として透明フィルムや平板を用いる態様について説明した。しかしながら、投影体として、光を透過させる液晶ディスプレイを用い、液晶ディスプレイに表示させる形状を変化させてもよい。これにより、壁面に投影する影絵を動かすことが可能となる。なお、この場合、例えばスマートフォンのアプリとして、液晶ディスプレイに、スマートフォン上でユーザの描いた絵を上述のアルゴリズムにより投影体の形状に変換したものを映し出し、ユーザの描いた絵を壁面に投影することも可能である。
【００２０】
さらに、上述では、黒色の影のみの影絵について説明した。しかしながら、投影体として、着色の施された透明または半透明のフィルムまたは平板を用いたり、着色された光源を用いたりすることで、色付きの影絵を投影することができる。また、投影体の遮光率を変化させる（すなわち、厚みを変化させたり、印刷するインクの種類や塗り方を変化させる）ことによって、陰影のある影を壁面に投影することができる。
【００２１】
また、上述では、光源が１つの場合について説明したが、１つの投影体に対して複数の光源から光が照射され、複数の影が壁面に投影されてもよい。また、筐体の内部に、複数の光源収容されてもよい。
【００２２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。また、上記実施の形態に示す構成を適宜組み合わせることとしてもよい。
【符号の説明】
【００２３】
１０  間接照明装置
１１  投影体
１２  筐体
１５  光源
１４  固定ピン
１６  制御装置
１３  底面
２０  図柄
２１  形状
２３  影絵
３０  図柄
３１  形状
３２  投影体
３３  影絵
４０  壁面
【図１】
2017162581.tif 000003
【図２】
2017162581.tif 000004
【図３】
2017162581.tif 000005
【図４】
2017162581.tif 000006